(57)【特許請求の範囲】
【請求項１】
光を発生するためのランプと、
収納空間が形成された収納容器と、
前記収納空間に安着されて前記収納容器と結合するためのベース基板、前記ベース基板の上面から突出されて前記ランプを固定するためのランプクリップ、及び前記ベース基板と関連して形成されたバッファ部を有するランプ固定部と、
を含み、
前記バッファ部は、ベース基板から突出されて形成されるバックライトアセンブリ。
【請求項２】
前記バッファ部は前記ランプクリップの突出方向と同一の方向に突出されることを特徴とする請求項１記載のバックライトアセンブリ。
【請求項３】
前記バッファ部は前記ランプクリップの突出方向と反対になる方向に突出されることを特徴とする請求項１記載のバックライトアセンブリ。
【請求項４】
前記収納容器の底面には前記バッファ部を挿入するための挿入溝が形成されることを特徴とする請求項３記載のバックライトアセンブリ。
【請求項５】
前記バッファ部は前記ベース基板と一体に形成されることを特徴とする請求項１記載のバックライトアセンブリ。
【請求項６】
前記バッファ部は前記ランプの伸長方向から見る時、三角形状または半球形状のうちいずれか一つの形状に形成されることを特徴とする請求項１記載のバックライトアセンブリ。
【請求項７】
前記バッファ部は互いに隣接する２つのランプの間に位置することを特徴とする請求項１記載のバックライトアセンブリ。
【請求項８】
前記ランプ固定部は前記ベース基板の上面から突出されて前記ランプが前記ランプの伸長方向に流動されることを防止するための固定突起をさらに含むことを特徴とする請求項１記載のバックライトアセンブリ。
【請求項９】
前記固定突起は前記ランプクリップと互いに対応して位置することを特徴とする請求項８記載のバックライトアセンブリ。
【請求項１０】
前記固定突起は前記ランプの一端部と互いに接することを特徴とする請求項８記載のバックライトアセンブリ。
【請求項１１】
前記ランプは、
外部から提供される電源に応答して光を発生するためのランプチューブと、
前記ランプチューブの一端部を取り囲み、前記ランプクリップに挿入されて前記ランプ固定部を通じて印加される前記電源を前記ランプチューブに提供するための外部電極と、を含むことを特徴とする請求項１記載のバックライトアセンブリ。
【請求項１２】
前記ベース基板は前記収納容器と結合するための結合孔が形成され、前記収納容器は前記結合孔に対応して締結溝が形成され、前記ベース基板は前記結合孔及び締結溝に順次に挿入されて前記収納容器に締結されるスクリューによって前記収納容器と結合することを特徴とする請求項１記載のバックライトアセンブリ。
【請求項１３】
前記締結溝の内径は前記スクリューの外径と同一であり、前記結合孔は前記ベース基板の長さ方向に対応する直径が前記スクリューの直径より大きいことを特徴とする請求項１２記載のバックライトアセンブリ。
【請求項１４】
前記ランプ固定部は金属材質からなり、前記収納容器は合成樹脂からなることを特徴とする請求項１記載のバックライトアセンブリ。
【請求項１５】
光を用いて画像を表示するための液晶表示装置と、
前記光を発生して前記液晶表示パネルに提供するランプと、収納空間が形成された収納容器と、収納空間に安着されて前記ランプの位置を固定し前記収納空間の大きさに対応して長さが調節されるランプ固定部とを有するバックライトアセンブリと、
を含み、
前記ランプ固定部は、
前記収納空間に安着されて前記収納容器と結合するためのベース基板と、
前記ベース基板の上面から突出されて前記ランプを固定させるためのランプクリップと、
前記ベース基板から突出された第１バッファ部と、を有する液晶表示装置。
【請求項１６】
前記第１バッファ部は前記ランプクリップの突出方向と同一の方向に突出されることを特徴とする請求項１５記載の液晶表示装置。
【請求項１７】
前記第１バッファ部は前記ランプクリップの突出方向と反対になる方向に突出されることを特徴とする請求項１５記載の液晶表示装置。
【請求項１８】
前記収納容器の底面には前記第１バッファ部を挿入するための挿入溝が形成されることを特徴とする請求項１７記載の液晶表示装置。
【請求項１９】
前記第１バッファ部は前記ベース基板と一体に形成されることを特徴とする請求項１５記載の液晶表示装置。
【請求項２０】
前記第１バッファ部は前記ランプの伸長方向から見る時、三角形状、三角形状及び半球形状のうちいずれかの形状に形成されることを特徴とする請求項１５記載の液晶表示装置。
【請求項２１】
前記第１バッファ部は互いに隣接する２つのランプの間に位置することを特徴とする請求項１５記載のバックライトアセンブリ。
【請求項２２】
前記ランプ固定部は前記ベース基板の上面から突出された前記ランプが前記ランプの伸長方向に流動されることを防止するための固定突起をさらに含むことを特徴とする請求項１５記載のバックライトアセンブリ。
【請求項２３】
前記固定突起は前記ランプクリップと互いに対応して位置することを特徴とする請求項２２記載のバックライトアセンブリ。
【請求項２４】
前記固定突起は前記ランプの一端部と互いに接することを特徴とする請求項２２記載のバックライトアセンブリ。
【請求項２５】
前記ランプは
外部から提供される電源に応じて光を発生するためのランプチューブと、
前記ランプチューブの一端部を取り囲み、前記ランプクリップに挿入されて前記ランプ固定部から印加される前記電源を前記ランプチューブに提供するための外部電極と、含むことを特徴とする請求項１５記載の液晶表示装置。
【請求項２６】
前記ベース基板は前記収納容器と結合するための結合孔が形成され、前記収納容器は前記結合孔に対応して締結溝が形成され、前記ベース基板は前記結合孔及び前記締結溝に順次に挿入されて前記収納容器に締結されるスクリューにより前記収納容器と結合することを特徴とする請求項１５記載の液晶表示装置。
【請求項２７】
前記締結溝の内径は前記スクリューの外径と同一であり、前記結合孔は前記ベース基板の長さ方向に対応する直径が前記スクリューの直径より大きいことを特徴とする請求項２６記載の液晶表示装置。
【請求項２８】
前記ランプ固定部は金属材質からなり、前記収納容器は合成樹脂からなることを特徴とする請求項１５記載の液晶表示装置。
【請求項２９】
前記収納容器と結合して前記液晶表示パネルを前記収納容器に固定するためのトップシャーシをさらに含むことを特徴とする請求項１５記載の液晶表示装置。
【請求項３０】
前記トップシャーシは、
一部分が開口された底面と、
前記底面を取り囲む側壁と、
前記底面及び側壁から突出されるか、または、陥没されて第２バッファ部と、を含むことを特徴とする請求項２９記載の液晶表示装置。
【請求項３１】
前記第２バッファ部は前記底面及び前記側壁にかけて位置し、前記底面及び前記側壁と一体に形成されることを特徴とする請求項３０記載の液晶表示装置。
【請求項３２】
前記第２バッファ部は、
互いに対向して位置し、前記ランプの長さ方向である第１方向に対応する前記底面の長さ及び側壁の長さを前記収納容器の大きさの変化に対応して調節するための第１及び第２シャーシバッファ部と、
互いに対向して位置し、前記第１方向と直交する第２方向に対応する前記底面の長さ及び前記側壁長さを前記収納容器の大きさ変化に対応して調節するための第３及び第４シャーシバッファ部と、を含むことを特徴とする請求項３０記載の液晶表示装置。
【発明の詳細な説明】
【技術分野】
【０００１】
本発明はバックライトアセンブリ及びこれを有する液晶表示装置に関し、より詳細には部品間の結合力を向上させるためのバックライトアセンブリ及びこれを有する液晶表示装置に関する。
【背景技術】
【０００２】
一般に、液晶表示装置は液晶の光学的特性を利用して画像を表示する。液晶表示装置は光を利用して画像を表示する液晶表示パネル及び液晶表示パネルに光を提供するバックライトアセンブリを含む。
バックライトアセンブリは光を発生するランプの位置によってエッジ型バックライトアセンブリ及び直下型バックライトアセンブリで区分される。
【０００３】
エッジ型バックライトアセンブリは導光板の側面にランプが配置される。エッジ型バックライトアセンブリは小さくて軽いのが要求され、小型液晶表示装置に適用される。
直下型バックライトアセンブリは液晶表示パネルの下部に複数のランプが並んで配置される。直下型バックライトアセンブリはエッジ型バックライトアセンブリに比べて高輝度を確保することができる長所がある。従って、直下型バックライトアセンブリは中型または大型液晶表示装置に適合する。
【０００４】
直下型バックライトアセンブリは複数のランプを利用するので、並列駆動が容易で、価額が低廉な外部電極を有するランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）を採用する傾向である。
ＥＥＦＬからなるランプは電源の印加を受けるためのランプソケットと結合し、モールドフレームに収納される。ランプソケットは複数のランプを固定するための複数のクリップを有し、電源を複数のランプに印加するために金属材質からなる。モールドフレームはランプソケットと結合して複数のランプを収納し、合成樹脂からなる。
【０００５】
直下型バックライトアセンブリは複数のランプを使用するので、複数のランプから発生された熱による内部の温度変化がエッジ型バックライトアセンブリより大きい。
一般に、熱膨張係数は金属より合成樹脂がさらに高く表れる。これによって、温度上昇によるモールドフレーム及びランプソケット嵩の増加量を見ると、ランプソケットよりモールドフレームの嵩の増加量がさらに大きい。従って、ランプソケットが安着されるモールドフレームの収納空間の長さがランプソケットの長さより小さいので、温度が上昇した場合には、ランプソケットがモールドフレームから力を受けて撓まれる現象が発生する。
【発明の開示】
【発明が解決しようとする課題】
【０００６】
本発明の目的は部品間の結合力を向上させるためのバックライトアセンブリを提供することにある。
また、本発明の他の目的は前記したバックライトアセンブリを有する液晶表示装置を提供することにある。
【課題を解決するための手段】
【０００７】
本願第１発明は、
光を発生するためのランプと、
収納空間が形成された収納容器と、
前記収納空間に安着されて前記収納容器と結合するためのベース基板、前記ベース基板の上面から突出されて前記ランプを固定するためのランプクリップ、及び前記ベース基板と関連して形成されたバッファ部を有するランプ固定部と、
を含み、
前記バッファ部は、ベース基板から突出されて形成されるバックライトアセンブリを提供する。
【０００８】
ランプ固定部には、複数のランプから発生された熱による収納容器の嵩の膨張に適応するためのバッファ部が形成されている。ランプ固定部は、バッファ部を利用して収納容器の収納空間の変化に対応してランプ固定部の長さを調節することができる。これによって、バッファ部は収納容器の熱膨張によるランプ固定部の撓みまたは捩れ現象を防止することができ、部品間の結合力を向上させることができる。
【０００９】
本願第２発明は、第１発明において、前記バッファ部は前記ランプクリップの突出方向と同一の方向に突出されることを特徴とするバックライトアセンブリを提供する。収納容器が撓むと、ランプクリップと同一方向に突出したバッファ部により歪みを吸収するので、ランプ固定部の撓みまたは捩れ現象を防止することができる。
本願第３発明は、第１発明において、前記バッファ部は前記ランプクリップの突出方向と反対になる方向に突出されることを特徴とするバックライトアセンブリを提供する。収納容器が撓むと、ランプクリップと反対方向に陥没したバッファ部により歪みを吸収するので、ランプ固定部の撓みまたは捩れ現象を防止することができる。
【００１０】
本願第４発明は、第３発明において、前記収納容器の底面には前記バッファ部を挿入するための挿入溝が形成されることを特徴とするバックライトアセンブリを提供する。
本願第５発明は、第１発明において、前記バッファ部は前記ベース基板と一体に形成されることを特徴とするバックライトアセンブリを提供する。バッファ部がランプ固定部のベース基板と一体に形成されることで、収納容器と接するベース基板が収納容器から受ける応力を、バッファ部が効率的に吸収することができる。
【００１１】
本願第６発明は、第１発明において、前記バッファ部は前記ランプの伸長方向から見る時、三角形状または半球形状のうちいずれか一つの形状に形成されることを特徴とするバックライトアセンブリを提供する。
本願第７発明は、第１発明において、前記バッファ部は互いに隣接する２つのランプの間に位置することを特徴とするバックライトアセンブリを提供する。
【００１２】
本願第８発明は、第１発明において、前記ランプ固定部は前記ベース基板の上面から突出されて前記ランプが前記ランプの伸長方向に流動されることを防止するための固定突起をさらに含むことを特徴とするバックライトアセンブリを提供する。
本願第９発明は、第８発明において、前記固定突起は前記ランプクリップと互いに対応して位置することを特徴とするバックライトアセンブリを提供する。
【００１３】
本願第１０発明は、第８発明において、前記固定突起は前記ランプの一端部と互いに接することを特徴とするバックライトアセンブリを提供する。
本願第１１発明は、第１発明において、前記ランプは、外部から提供される電源に応答して光を発生するためのランプチューブと、前記ランプチューブの一端部を取り囲み、前記ランプクリップに挿入されて前記ランプ固定部を通じて印加される前記電源を前記ランプチューブに提供するための外部電極と、を含むことを特徴とするバックライトアセンブリを提供する。
【００１４】
本願第１２発明は、第１発明において、前記ベース基板は前記収納容器と結合するための結合孔が形成され、前記収納容器は前記結合孔に対応して締結溝が形成され、前記ベース基板は前記結合孔及び締結溝に順次に挿入されて前記収納容器に締結されるスクリューによって前記収納容器と結合することを特徴とするバックライトアセンブリを提供する。
本願第１３発明は、第１２発明において、前記締結溝の内径は前記スクリューの外径と同一であり、前記結合孔は前記ベース基板の長さ方向に対応する直径が前記スクリューの直径より大きいことを特徴とするバックライトアセンブリを提供する。従って、ベース基板は、ベース基板の長さ変化によって結合孔の位置が変わっても、スクリューが結合孔から離脱されることを防止することができる。
【００１５】
本願第１４発明は、第１発明において、前記ランプ固定部は金属材質からなり、前記収納容器は合成樹脂からなることを特徴とするバックライトアセンブリを提供する。
本願第１５発明は、光を用いて画像を表示するための液晶表示装置と、前記光を発生して前記液晶表示パネルに提供するランプと、収納空間が形成された収納容器と、収納空間に安着されて前記ランプの位置を固定し前記収納空間の大きさに対応して長さが調節されるランプ固定部とを有するバックライトアセンブリと、を含み、
前記ランプ固定部は、
前記収納空間に安着されて前記収納容器と結合するためのベース基板と、
前記ベース基板の上面から突出されて前記ランプを固定させるためのランプクリップと、
前記ベース基板から突出された第１バッファ部と、を有する液晶表示装置を提供する。
【００１６】
ランプ固定部は、収納容器の収納空間の変化に対応してランプ固定部の長さを調節することができる。これによって、収納容器の熱膨張によるランプ固定部の撓みまたは捩れ現象を防止することができ、部品間の結合力を向上させることができる。
【００１７】
ランプ固定部には、複数のランプから発生された熱による収納容器の嵩の膨張に適応するためのバッファ部が形成されている。ランプ固定部は、バッファ部を利用して収納容器の収納空間の変化に対応してランプ固定部の長さを調節することができる。これによって、バッファ部は収納容器の熱膨張によるランプ固定部の撓みまたは捩れ現象を防止することができ、部品間の結合力を向上させることができる。
【００１８】
本願第１６発明は、第１５発明において、前記第１バッファ部は前記ランプクリップの突出方向と同一の方向に突出されることを特徴とする液晶表示装置を提供する。
本願第１７発明は、第１５発明において、前記第１バッファ部は前記ランプクリップの突出方向と反対になる方向に突出されることを特徴とする液晶表示装置を提供する。
本願第１８発明は、第１７発明において、前記収納容器の底面には前記第１バッファ部を挿入するための挿入溝が形成されることを特徴とする液晶表示装置を提供する。
【００１９】
本願第１９発明は、第１５発明において、前記第１バッファ部は前記ベース基板と一体に形成されることを特徴とする液晶表示装置を提供する。
本願第２０発明は、第１５発明において、前記第１バッファ部は前記ランプの伸長方向から見る時、三角形状、三角形状及び半球形状のうちいずれかの形状に形成されることを特徴とする液晶表示装置を提供する。
【００２０】
本願第２１発明は、第１５発明において、前記第１バッファ部は互いに隣接する２つのランプの間に位置することを特徴とするバックライトアセンブリを提供する。
本願第２２発明は、第１５発明において、前記ランプ固定部は前記ベース基板の上面から突出された前記ランプが前記ランプの伸長方向に流動されることを防止するための固定突起をさらに含むことを特徴とするバックライトアセンブリを提供する。
【００２１】
本願第２３発明は、第２２発明において、前記固定突起は前記ランプクリップと互いに対応して位置することを特徴とするバックライトアセンブリを提供する。
本願第２４発明は、第２２発明において、前記固定突起は前記ランプの一端部と互いに接することを特徴とするバックライトアセンブリを提供する。
本願第２５発明は、第１５発明において、前記ランプは、外部から提供される電源に応じて光を発生するためのランプチューブと、前記ランプチューブの一端部を取り囲み、前記ランプクリップに挿入されて前記ランプ固定部から印加される前記電源を前記ランプチューブに提供するための外部電極と、含むことを特徴とする液晶表示装置を提供する。
【００２２】
本願第２６発明は、第１５発明において、前記ベース基板は前記収納容器と結合するための結合孔が形成され、前記収納容器は前記結合孔に対応して締結溝が形成され、前記ベース基板は前記結合孔及び前記締結溝に順次に挿入されて前記収納容器に締結されるスクリューにより前記収納容器と結合することを特徴とする液晶表示装置を提供する。
本願第２７発明は、第２６発明において、前記締結溝の内径は前記スクリューの外径と同一であり、前記結合孔は前記ベース基板の長さ方向に対応する直径が前記スクリューの直径より大きいことを特徴とする液晶表示装置を提供する。
【００２３】
本願第２８発明は、第１５発明において、前記ランプ固定部は金属材質からなり、前記収納容器は合成樹脂からなることを特徴とする液晶表示装置を提供する。
本願第２９発明は、第１５発明において、前記収納容器と結合して前記液晶表示パネルを前記収納容器に固定するためのトップシャーシをさらに含むことを特徴とする液晶表示装置を提供する。
【００２４】
本願第３０発明は、第２９発明において、
前記トップシャーシは、
一部分が開口された底面と、
前記底面を取り囲む側壁と、
前記底面及び側壁から突出されるか、または、陥没されて第２バッファ部と、を含むことを特徴とする液晶表示装置を提供する。
本願第３１発明は、第３０発明において、前記第２バッファ部は前記底面及び前記側壁にかけて位置し、前記底面及び前記側壁と一体に形成されることを特徴とする液晶表示装置を提供する。
【００２５】
本願第３２発明は、第３０発明において、前記第２バッファ部は、互いに対向して位置し、前記ランプの長さ方向である第１方向に対応する前記底面の長さ及び側壁の長さを前記収納容器の大きさの変化に対応して調節するための第１及び第２シャーシバッファ部と、互いに対向して位置し、前記第１方向と直交する第２方向に対応する前記底面の長さ及び前記側壁長さを前記収納容器の大きさ変化に対応して調節するための第３及び第４シャーシバッファ部と、を含むことを特徴とする液晶表示装置を提供する。
【発明の効果】
【００２７】
このような液晶表示装置によると、ランプ固定部はランプから発生された熱による収納空間の大きさが変わっても、収納空間の大きさが変化するにつれて長さが調節されるので、収納容器から離脱されることを防止することができる。
【発明を実施するための最良の形態】
【００２８】
以下、図面を参照して本発明の望ましい一実施例をより詳細に説明する。
図１は本発明の一実施例による液晶表示装置を示す分解斜視図である。
図１に示すように、本発明による液晶表示装置６００は光を利用して画像を表示する表示パネルアセンブリ１００及び前記光を発生するバックライトアセンブリ２００、前記バックライトアセンブリ２００を収納するための収納容器３００、前記表示パネルアセンブリ１００を収納する第１モールドフレーム４００及びトップシャーシ５００を含む。
【００２９】
より詳細に、前記表示パネルアセンブリ１００は前記画像を表示する液晶表示パネル１１０、複数のデータ側及びゲート側テープキャリアパッケージ（以下：ＴＣＰと称する）１２０、１２５データ側及びゲート側印刷回路基板１３０、１３５を含む。
具体的に、図２に示すように前記液晶表示パネル１１０は薄膜トランジスター基板１１１、前記ＴＦＴ基板１１１と互いに対抗して結合するカラーフィルター基板１１２及び前記ＴＦＴ基板１１１と前記カラーフィルター基板１１２との間に注入された液晶層（図示せず）を含む。
【００３０】
前記ＴＦＴ基板１１１は前記スイッチング素子ＴＦＴ（図示せず）がマトリックス形態で形成された透明基板である。前記ＴＦＴ基板１１１に対向して具備される前記カラーフィルター基板１１２は前記光を利用して所定の色を発現する色画素であるＲＧＢ色画素が薄膜工程によって形成された透明な基板である。
前記ＴＦＴ基板１１１のソース側には前記複数のデータ側ＴＣＰ１２０が付着される。前記ＴＦＴ基板１１１のゲート側には前記複数のゲート側ＴＣＰ１２５が付着される。前記データ側及びゲート側ＴＣＰ１２０、１２５は前記液晶表示パネル１１０を駆動するための駆動信号及び駆動時期を制御するためのタイミング信号を前記液晶表示パネル１１０に印加する。
【００３１】
前記複数のデータ側及びゲート側ＴＣＰ１２０、１２５は前記データ側及びゲート側印刷回路基板１３０、１３５とそれぞれ連結される。前記データ側及びゲート側印刷回路基板１３０、１３５は前記駆動信号及び前記タイミング信号を生成して前記複数のデータ側及びゲート側ＴＣＰ１２０、１２５にそれぞれ印加する。  
前記液晶表示パネルアセンブリ１００の下には液晶表示パネル１１０に均一な光を提供するための前記バックライトアセンブリ２００が具備される。
【００３２】
前記バックライトアセンブリ２００は前記光を発生する複数のランプ２１０、前記光を拡散するための拡散板２４０、前記光学シート２５０、反射板２６０及び第２モールドフレーム２７０を含む。
具体的に、前記複数のランプ２１０は外部から提供される電源に応答して光を発生する。前記複数のランプ２１０は前記液晶表示パネル１１０の画像が表示される有効表示領域に対応して位置し、前記光を液晶表示パネル１１０の全面に照射する。
【００３３】
前記複数のランプ２１０の上部には前記拡散板２４０及び前記光学シート２５０が具備される。前記拡散板２４０及び前記光学シート２５０は前記光を拡散及び集光して前記液晶表示パネル１１０に出射する。
前記複数のランプ２１０の下には前記反射板２６０が具備される。前記反射板２６０は前記複数のランプ２１０から漏洩された光を前記拡散板２４０側に反射して光の利用効率を向上させる。
【００３４】
前記複数のランプ２１０は前記第２モールドフレーム２７０に収納される。前記第２モールドフレーム２７０は一部分が開口された底面２７１及び前記底面２７１を取り囲む側壁２７２を有する。
前記底面２７１の上部面には前記拡散板２４０及び前記光学シート２５０が収納され、背面には前記複数のランプ２１０が収納される。このとき、前記拡散板２４０は前記複数のランプ２１０と互いに所定間隔で離隔されて位置する。前記複数のランプ２１０及び前記第２モールドフレーム２７０の結合関係は後述する図２において詳しく説明する。
【００３５】
一方、前記バックライトアセンブリ２００の下には前記収納容器３００が具備される。前記収納容器３００は前記反射板２６０、前記複数のランプ２１０と結合された第２モールドフレーム２７０、前記拡散板２４０及び光学シート２５０が順次に収納する。
前記表示パネルアセンブリ１００と前記バックライトアセンブリ２００との間には前記第１モールドフレーム４００が介在される。前記第1モールドフレーム４００は合成樹脂からなり、前記液晶表示パネル１１０を収納する。前記第１モールドフレーム４００は前記バックライトアセンブリ２００から出射される光を透過するために一部分が開口される。前記第１モールドフレーム４００は前記収納容器３００と互いに対向して結合して前記バックライトアセンブリ２００を前記収納容器３００に固定する。
【００３６】
前記液晶表示パネル１１０の上部には前記トップシャーシ５００が具備される。絶縁膜のトップシャーシ５００は前記収納容器３００と互いに結合して前記液晶表示パネル１１０を前記第１モールドフレーム４００に固定する。このとき、前記トップシャーシ５００は前記液晶表示パネル１１０を前記有効表示領域が開口されるように被覆する。
前記トップシャーシ５００は、一部分が開口された底面５１０、前記底面５１０から延長された側壁５２０及び前記第１及び第２モールドフレーム４００、２７０の大きさが変化するのに対応して、前記底面５１０及び前記側壁５２０の長さを調節するための複数のシャーシバッファ部を有する。
【００３７】
前記複数のシャーシバッファ部は前記底面５１０及び前記側壁５２０にかけて形成され、前記底面５１０及び前記側壁５２０と一体に形成される。前記複数のシャーシバッファ部は第１乃至第４シャーシバッファ部５３０ａ、５３０ｂ、５４０ａ、５４０ｂで構成される。本実施例において、前記トップシャーシ５００は４つのシャーシバッファ部を具備するが、前記シャーシバッファ部の個数は前記トップシャーシ５００の大きさ及び厚さによって増加されたり減少されたりすることができる。
【００３８】
前記第１及び第２シャーシバッファ部５３０ａ、５３０ｂは互いに対向して位置し、前記複数のランプ２１０の長さ方向である第１方向Ｄ１に対応するように設けられている。そして、第１及び第２シャーシバッファ部５３０ａ、５３０ｂは、前記底面５１０及び前記側壁５２０の長さを前記第１及び第２モールドフレーム４００、２７０の大きさ変化に対応して調節する。
【００３９】
前記第３及び第４シャーシバッファ部５４０ａ、５４０ｂは互いに対向して位置し、前記第１方向Ｄ１と直交する第２方向Ｄ２に対応するように設けられている。第３及び第４シャーシバッファ部５４０ａ、５４０ｂは、前記底面５１０及び前記側壁５２０の長さを前記第１及び第２モールドフレーム４００、２７０の大きさ変化に対応して調節する。
前記複数のランプ２１０が駆動されることによって発生された熱は、前記バックライトアセンブリ２００の内部温度を上昇させる。前記液晶表示装置６００を成す構成要素は前記内部温度の上昇に伴ってその嵩が増加される。
【００４０】
前記トップシャーシ５００は前記第１及び第２モールドフレーム４００、２７０の側壁を取り囲む。従って、前記トップシャーシ５００の大きさが前記第１及び第２モールドフレーム４００、２７０の大きさより大きくなければならない。つまり、前記第１及び第２モールドフレーム４００、２７０が温度の上昇によって嵩が増加して大きさが大きくなる場合、第１及び第２モールドフレーム４００、２７０の撓みを防止するためには、前記トップシャーシ５００も前記第１及び第２モールドフレーム４００、２７０の増加された大きさ分だけ大きくならなければならない。
【００４１】
このとき、金属材質は合成樹脂より熱膨張率が高いので、前記第１及び第２モールドフレーム４００、２７０の嵩の増加量が前記トップシャーシ５００の嵩増加量より多い。前記第１乃至前記第４シャーシバッファ部５３０ａ、５３０ｂ、５４０ａ、５４０ｂは温度変化によって流動的な前記第１及び第２モールドフレーム４００、２７０の大きさに対応して、前記トップシャーシ５００の大きさを増加させたり減少させたりするスプリングの役割をする。
【００４２】
前記第１及び第２シャーシバッファ部５３０ａ、５３０ｂは、前記第１及び第２モールドフレーム４００、２７０の大きさが前記第１方向Ｄ１に増加するか減少されると、前記第１方向Ｄ１に対応されるトップシャーシ５００の長さを、前記第１及び第２モールドフレーム４００、２７０の増加された長さ分だけ増加させる。
前記第３及び第４シャーシバッファ部５４０ａ、５４０ｂは、前記第１及び第２モールドフレーム４００、２７０の長さが前記第２方向Ｄ２に増加されると、前記第２方向に対応する前記トップシャーシ５００の長さを、前記第１及び第２モールドフレーム４００，２７０の増加された長さ分だけ増加させる。これによって、バッファ部は第２モールドフレームの熱膨張によるランプ固定部の撓みまたは捩れ現象を防止することができ、液晶表示装置の部品間の結合力を向上させることができる。
【００４３】
前述したように、本発明による前記複数のシャーシバッファ部は、前記第１及び第２モールドフレーム４００、２７０の大きさが変化すると、前記トップシャーシ５００の大きさを調節してトップシャーシ５００の捩れ現象を防止する。
図２は図１の切断線I−I’線による断面図である。
図２に示すように、前記液晶表示パネル１１０は、前記トップシャーシ５００と前記第１モールドフレーム４００との間に介在される。
【００４４】
前記トップシャーシ５００は前記第１及び第２モールドフレーム４００、２７０の周辺を取り囲み、前記液晶表示パネル１１０を前記第１モールドフレーム２７０に固定する。前記トップシャーシ５００の第４シャーシバッファ部５４０ｂは、前記液晶表示パネル１１０の上面及び前記第１及び第２モールドフレーム４００、２７０から所定高さで離隔されて第１空間４０を形成する。
【００４５】
本実施例において、前記第１乃至第４シャーシバッファ部５３０ａ、５３０ｂ、５４０ａ、５４０ｂは同一の構造を有する。前記第１乃至第４シャーシバッファ部５３０ａ、５３０ｂ、５４０ａ、５４０ｂの説明において、前記第４シャーシバッファ部５４０ｂを一例にして説明し、前記第１乃至第３シャーシバッファ部５３０ａ、５３０ｂ、５４０ａに対する具体的な説明は省略する。
【００４６】
前記第１及び第２モールドフレーム４００、２７０が、前記複数のランプ２１０から発生された熱によって嵩が増加すると、前記第１空間４０の大きさが増加する。これによって、前記第４シャーシバッファ部５４０ｂは、前記第１及び第２モールドフレーム４００、２７０の大きさ変化によりトップシャーシ５００の捩れ現象を防止することができる。
図３は図１に示されたバックライトアセンブリを示す分解斜視図である。図３は前記複数のランプ２１０と第２モールドフレーム２７０との結合関係をより明確に示すために前記拡散板２４０及び光学シート２５０を省略して図示する。
【００４７】
図３に示すように、前記複数のランプ２１０は第１乃至第４ランプ２１１、２１２、２１３、２１４で構成される。本実施例において、前記液晶表示装置６００は４つのランプを具備するが、前記ランプの個数は前記液晶表示パネル１１０の大きさによって減少されたり増加されたりすることができる。
前記第１乃至第４ランプ２１１、２１２、２１３、２１４は同一の構成を有する。本実施例において、前記第１乃至第４ランプ２１１、２１２、２１３、２１４の構成要素に対する具体的説明は前記第１ランプ２１１を一例にして叙述し、前記第２乃至第４ランプ２１２、２１３、２１４に対する具体的説明は省略することにする。
【００４８】
前記第１ランプ２１１は蛍光物質及び放電ガスが充填されたランプチューブ２１１ａ及び前記ランプチューブ２１１ａに前記電源を印加するための第１及び第２外部電極２１１ｂ、２１１ｃを有する。前記第１外部電極２１１ｂは前記ランプチューブ２１１ａの第１端部に位置し、前記第２外部電極２１１ｃは前記第１端部と互いに対向する第２端部に位置する。このとき、前記第１及び第２外部電極２１１ｂ、２１１ｃは前記ランプチューブ２１１ａの表面を取り囲む。
【００４９】
前記複数のランプ２１０の両端部は第１及び第２ランプ固定部２２０、２３０に挿入される。前記第１ランプ固定部２２０は前記複数のランプ２１０の第１外部電極と電気的に連結され、前記第２ランプ固定部２３０は前記複数のランプ２１０の第２外部電極と電気的に連結される。
前記第１及び第２ランプ固定部２２０、２３０は、前記複数のランプ２１０の両端部と結合して前記複数のランプ２１０の位置を固定し、外部の電源供給装置（図示せず）と連結されて前記複数のランプ２１０の前記電源を印加する。本実施例において、前記液晶表示装置６００は２つのランプ固定部を具備する。前記ランプ固定部はランプの電極部が外部電極に形成される場合、前記外部電極に前記電源を提供するために具備されるので、一つのランプが外部電極の個数と同一に具備される。
【００５０】
前記第１ランプ固定部２２０は、前記第２モールドフレーム２７０と結合するベース基板２２１、前記ベース基板２２１の上面から突出されて前記複数のランプ２１０の第１外部電極をそれぞれ挿入するための複数のランプクリップ２２２及び前記ベース基板２２１の上面から突出されて前記複数のランプ２１０の一端部とそれぞれ接する複数の固定突起２２３を含む。
【００５１】
前記第１及び第２ランプ固定部２２０、２３０は同一の構成を有する。本実施例において、前記第１及び第２ランプ固定部２２０、２３０に対する説明は前記第１ランプ固定部２２０を一例にして叙述し、前記第２ランプ固定部２３０に対する具体的説明は省略することにする。
前記ベース基板２２１は、前記第２モールドフレーム２７０の大きさの変化によって前記ベース基板２２１の長さを調節するためのバッファ部１０及び前記第２モールドフレーム２７０と結合するための結合孔２２４が形成される。
【００５２】
前記複数のバッファ部１０は前記複数のランプクリップ２２２が突出された方向と同一の方向に突出され、矩形形状で形成される。
前記複数のバッファ部１０は第１乃至第３バッファ部１１、１２、１１３で構成される。本実施例において前記第１ランプ固定部２２０は３つのバッファ部を具備するが、バッファ部の個数は前記ベース基板２２１の全体長さ及び厚さによって増加されたり減少されたりすることができる。
【００５３】
前記複数のランプクリップは複数のランプ２１０が前記複数のランプクリップ２２２が突出された方向に離脱されることを防止する。図３では、方向Ｄ４の矢印方向と逆方向にランプクリップが離脱するのを防止する。前記複数のランプクリップ２２２は、第１乃至第４ランプクリップ２２２ａ、２２２ｂ、２２２ｃ、２２２ｄで構成される。前記第１乃至第４ランプクリップは前記ベース基板２２１上に順序に配置され、所定の間隔で離隔されて位置する。本実施例において、前記第１ランプ固定部２２０は４つのランプクリップを具備されるが、前記ランプクリップの個数が前記ランプの個数によって増加されたり減少されたりすることができる。
【００５４】
前記第１乃至第４ランプクリップ２２２ａ、２２２ｂ、２２２ｃ、２２２ｄには前記第１乃至第４ランプクリップの第１外部電極がそれぞれ挿入される。
互いに隣接する２つのランプクリップの間には一つのバッファ部が位置する。第１バッファ部１１は、互いに隣接する第１及び第２ランプクリップ２２２ａ、２２２ｂの間に位置する。第２バッファ部１２は、互いに隣接する第２及び第３ランプクリップ２２２ｂ、２２２ｃの間に位置する。第３バッファ部１３は互いに隣接する第３及び第４ランプクリップ２２２ｃ、２２２ｄの間に位置する。本実施例において、複数のバッファ部１０は互いに隣接する２つのランプクリップの間にそれぞれ位置するが、バッファ部の個数によってその位置が異なることができる。
【００５５】
一方、前記複数の固定突起２２３は前記複数のランプクリップ２２２と互いに対応して位置し、前記複数のランプ２１０が前記第１方向Ｄ１に流動されることを防止する。
前記第２モールドフレーム２７０は、前記第１及び第２ランプ固定部２２０、２３０と結合して前記複数のランプ２１０を収納する。前記第２モールドフレーム２７０は前記複数のランプ２１０の両端部と対応する位置に前記第１及び第２ランプ固定部２２０、２３０を収納するための第１及び第２収納空間２７３、２７４が形成される。前記第１ランプ固定部２２０は前記第１収納空間２７３に収納され、前記第２ランプ固定部２３０は前記第２収納空間２７４に収納される。
【００５６】
前記第２モールドフレーム２７０は前記複数のランプ２１０から出射される光を透過するための開口部２７５及び第１及び第２ランプ固定部２２０、２３０と結合するための締結溝２７６が形成される。このとき、前記締結溝２７６は前記結合孔２２４に対応して形成される。
前記第２モールドフレーム２７０は前記複数のランプ２１０の位置をガイドし、前記複数のランプ２１０の挿入を容易にするための複数の凹凸部２７７が形成される。前記複数の凹凸部２７７は前記複数のランプ２１０とそれぞれ対応して位置する。
【００５７】
図４及び図５は図３に示されたランプ固定部の多様な一例を示す斜視図である。
図４及び図５に示すように、前記第１乃至第４ランプクリップ２２２ａ、２２２ｂ、２２２ｃ、２２２ｄは同一の構造を有する。本実施例において、前記第１乃至第４ランプクリップ２２２ａ、２２２ｂ、２２２ｃ、２２２ｄの説明は第４ランプクリップ２２２ｄを一例にして説明し、前記第１乃至第３ランプクリップ２２２ａ、２２２ｂ、２２２ｃに対する具体的な説明を省略することにする。
【００５８】
図４に示すように、前記第４ランプクリップ２２２ｄは互いに向かい合う第１及び第２固定部２１、２２を有する。前記第１及び第２固定部２１、２２は第４ランプ２１４の円周面を取り囲むために半球形状で形成される。前記第１及び第２固定部２１、２２は前記第４ランプ２１４の第１外部電極の外周面を取り囲みながら前記第４ランプ２１４の位置を固定する。
【００５９】
図５に示すように、前記第４ランプクリップ２２２ｄは所定の間隔で離隔されて位置する第１及び第２固定部２５、２６を有する。前記第１及び第２固定部２５、２６は前記第４ランプ２１４の円周面の一部分を取り囲むために半球形状に形成される。
前記第１固定部２５は互いに向かい合う第1及び第２翼部２５ａ、２５ｂからなる。前記第２固定部２６は互いに向かい合う第３及び第４翼部２６ａ、２６ｂからなる。前記第１翼部２５ａと前記第３翼部２６ａとは、第１方向Ｄ１を含む線と同一線上に位置し、前記第２翼部２５ｂは前記第４翼部２６ｂと同一線上に位置する。
【００６０】
前記第１及び第２翼部２５ａ、２５ｂは、所定の間隔で離隔されて位置し、前記第３及び第４翼部２６ａ、２６ｂは前記第１及び第２翼部２５ａ、２５ｂ間の離隔距離と同一の間隔で離隔されて位置する。
前記第１及び第２固定部２５、２６には、前記第４ランプ２１４の第１外部電極が挿入され、前記第１及び第２固定部２５、２６は前記第４ランプ２１４と電気的に連結される。
【００６１】
図６は図３に示されたバックライトアセンブリを示す断面図である。図６に示すように、前記第１ランプ固定部２２０は、前記第１収納空間２７３に収納される。前記第１ランプ固定部２２０は、スクリュー（ねじ）２８１を利用して前記第２モールドフレーム２７０と結合する。前記スクリュー２８１は、前記結合孔２２４を貫通して前記締結溝２７６に締結される。
【００６２】
前記スクリュー２８１の外径は、前記締結溝２７６の内径と同一である。前記ベース基板２２１の長さ方向である第２方向Ｄ２に対応する前記結合孔２２４の第１直径が、前記スクリュー２８１の直径より大きい。前記第２方向Ｄ２と直交する第１方向Ｄ１に対応する前記結合孔２２４の第２直径は、前記スクリュー２８１の直径と同一である。
従って、ベース基板２２１は前記ベース基板２２１の長さ変化によって前記結合孔２２４の位置が変わっても、前記スクリュー２８１が前記結合孔２２４から離脱されることを防止することができる。
【００６３】
一方、前記複数のランプ２１０の第１外部電極は、前記複数のランプクリップ２２２にそれぞれ挿入される。このとき、前記複数のランプ２１０の領域のうち前記第１外部電極が位置する第１端部は金属材質の第１外部電極で取り囲まれているので、光が出射されない非有効発光領域ＮＥＡである。
前記複数のランプ２１０については、前記非有効発光領域ＮＥＡが前記第１収納空間２７３に位置し、前記有効発光領域ＥＡは前記開口部２７５に位置する。このとき、前記有効発光領域ＥＡは前記液晶表示パネル１１０の有効表示領域に対応して位置する。
【００６４】
前記複数の固定突起２２３は前記複数のランプ２１０の一端部及び前記モールドフレーム２７０の側壁との間に介在される。望ましくは、前記複数の固定突起２２３は前記複数のランプ２１０の一端部とそれぞれ接して前記複数のランプ２１０をさらに堅固に固定することができる。
前記複数の固定突起２２３は、前記複数のランプ２１０の水平移動を防止する。従って、前記複数の固定突起２２３は外部から衝撃が加えられても前記複数のランプ２１０をそれぞれガイドして、前記有効発光領域ＥＡが前記モールドフレーム２７０の第１収納空間２７３内に移動することを防止することができる。また、前記固定突起２２３は前記複数のランプ２１０の前記非有効発光領域ＮＥＡが前記液晶表示パネルの有効表示領域内に移動する現象を防止することができる。これによって、前記バックライトアセンブリ２００から出射される光の輝度変化を最小化して前記液晶表示装置６００の表示特性を向上させることができる。
【００６５】
図７は図６の切断線II−II’線による断面図である。
図７に示すように、前記第１ランプ固定部２２０は前記第２モールドフレーム２７０の背面に安着される。
前記第１乃至第３バッファ部１１、１２、１３は前記モールドフレーム２７０の底面２７１から所定の高さで離隔される。従って、前記第１乃至第３バッファ部１１、１２、１３と前記第２モールドフレーム２７０の底面２７１との間には第２空間１４が形成される。
【００６６】
図７は図６に示されたランプ固定部がモールドフレームの熱膨張によって収縮される現象を示す断面図である。
図８に示すように、前記複数のランプ２１０が駆動されることによって付随的に発生される熱に起因して前記バックライトアセンブリ２００の内部温度が上昇する。これによって、前記第２モールドフレーム２７０及び前記第１ランプ固定部２２０の嵩が増加する。
【００６７】
従って、前記第１ランプ固定部２２０の長さより前記第１収納空間２７３の長さがさらに小さくなって前記第１ランプ固定部２７０に前記ベース基板の長さ方向Ｄ３に収縮力が作用する。
前記第２空間１４は前記収縮力によって大きさが小さくなったり大きくなったりする。即ち、前記第１乃至第３バッファ部１１、１２、１３は、前記第１収納空間２７３の大きさの変化に対して緩衝作用をするスプリング機能をする。
【００６８】
前記第２空間１４は、前記第１ランプ固定部２２０の長さと前記第１収納空間２７３の長さとの差異分だけその大きさが縮小される。従って、前記第１乃至第３バッファ部１１、１２、１３は、前記第１収納空間２７３の大きさ変化によって前記ベース基板２２１が撓まれるかずれることを防止することができる。これによって、バッファ部は第２モールドフレームの熱膨張によるランプ固定部のベース基板の撓みまたは捩れ現象を防止することができ、液晶表示装置の部品間の結合力を向上させることができる。
【００６９】
図９及び図１０は図７に示されたランプ固定部の多様な一例を示す断面図である。
図９に示すように、本発明によるランプ固定部６１０は前記第２モールドフレーム２７０と結合するベース基板６１１及び前記ベース基板６１１の上面から突出されて前記複数のランプ２１０の位置を固定するための複数のランプクリップ６１３を有する。
具体的に、前記ベース基板６１１は、前記第２モールドフレーム２７０と結合し、前記複数のランプクリップ６１３が突出される方向と同一の方向に突出された複数のバッファ部６１２が形成される。それぞれのバッファ部は、互いに隣接する２つのランプクリップの間に位置する。前記複数のバッファ部６１２の位置は前記ベース基板６１１の長さ及びその厚さによって異なって配置されることができる。
【００７０】
前記複数のバッファ部６１２は前記複数のランプ２１０が伸長される方向から見るとき、半球形状に形成される。前記複数のバッファ部６１２と前記第２モールドフレーム２７０との間には第３空間６１４が形成される。
前記複数のランプ２１０から発生された熱によって前記第２モールドフレーム２７０の嵩が膨張するとき、前記第２モールドフレーム２７０は前記ランプ固定部６１０を収納するための収納空間の大きさが減少される。前記収納空間の大きさが減少されると、前記ランプ固定部６１０は前記収納空間の長さ方向Ｄ３に作用する収縮力の影響を受ける。
【００７１】
これによって、前記第３空間６１４は前記収納空間の長さと前記ランプ固定部６１０の長さとの間の差異分だけその大きさが縮小され、前記ランプ固定部６１０のずれ現象及び撓み現象を防止することができる。
一方、前記複数のランプクリップ６１３は前記複数のランプ２１０の位置を固定し、前記複数のランプ２１０の第１及び第２外部電極のうちいずれかの外部電極と結合して外部から印加された電源を前記複数のランプ２１０に印加する。
【００７２】
図１０に示すように、本発明によるランプ固定部６２０は前記第２モールドフレーム２７０と結合するベース基板６２１及び前記ベース基板６２１の上面から突出されて前記複数のランプ２１０の位置を固定するための複数のランプクリップ６２３を有する。
具体的に、前記ベース基板６２１は前記第２モールドフレーム２７０と結合し、前記複数のランプクリップ６２３の突出方向と同一の方向に突出された複数のバッファ部６２２が形成される。前記複数のバッファ部６２２はプリズムパターンで形成される。前記複数のバッファ部６２２は前記第２モールドフレーム２７０から所定高さで離隔されて位置する。従って、前記複数のバッファ部６２２及び前記第２モールドフレーム２７０との間には第４空間６２４が形成される。
【００７３】
前記複数のランプ２１０から発生された熱によって前記第２モールドフレーム２７０の嵩が膨張する場合、前記第２モールドフレーム２７０は前記ランプ固定部６２０を収納するための収納空間の大きさが大きく減少される。
前記収納空間の大きさが減少されると、前記ランプ固定部６２０は前記収納空間の長さ方向Ｄ３に作用する収縮力の影響を受ける。これによって、前記第４空間６２４は前記収納空間の長さ及び前記ランプ固定部６２０の長さの差異分だけその大きさが縮小され、前記ランプ固定部６２０のずれ現象及び撓み現象を防止することができる。
【００７４】
一方、前記複数のランプクリップ６２３は前記複数のランプ２１０の位置を固定し、前記複数のランプ２１０の第１及び第２外部電極のうちいずれか一つの外部電極と結合して外部から印加されて電源を前記複数のランプ２１０に印加する。
図１１は本発明の他の実施例によるバックライトアセンブリを示す断面図であり、図１２は図１１に示されたランプ固定部を示す拡大斜視図である。
【００７５】
図１１及び図１２に示すように、前記本発明によるバックライトアセンブリ７００はランプ固定部７１０及び第２モールドフレーム７２０を除いては図２に示されたバックライトアセンブリ２００と同一の構成を有する。従って、本実施例の説明において、図２に示されたバックライトアセンブリ２００と同一の機能をする構成要素に対しては等しい参照番号を付与し、その具体的な説明は省略する。
【００７６】
前記バックライトアセンブリ７００は複数のランプ２１０、ランプ固定部７１０及び第２モールドフレーム７２０を具備する。
より詳細には、前記ランプ固定部７１０は前記複数のランプ２１０の位置を固定し、前記第２モールドフレーム７２０と結合する。前記ランプ固定部７１０はそれぞれのランプの一端部と結合して前記ランプの位置を固定する。前記ランプ固定部７１０は金属材質からなり、外部電源供給装置と連結されて前記複数のランプ２１０に電源を印加する。
【００７７】
図１２に示すように、前記ランプ固定部７１０は前記第２モールドフレーム７２０と結合するベース基板７１１、前記ベース基板７１１の上面から突出されて前記複数のランプ２１０の位置を固定するための複数のランプクリップ７１３及び前記ベース基板７１１の上面から突出される固定突起７１５を含む。
具体的に、前記ベース基板７１１は前記第２モールドフレーム７２０の熱膨張による大きさ変化に対応するための複数のバッファ部７１２及び前記第２モールドフレーム７２０と結合するための結合孔７１４が形成される。本実施例において、前記ベース基板７１１は２つ以上のバッファ部を具備するが、一つのバッファ部のみを具備することもでき、バッファ部の個数はランプの個数及び前記ベース基板７１１の長さによって異なることができる。
【００７８】
前記複数のバッファ部７１２は第２モールドフレーム７２０が位置する方向に陥没されて形成される。前記複数のバッファ部７１２は前記複数のランプ２１０の伸長方向から見るとき、矩形形状に形成される。それぞれのバッファ部は前記複数のランプクリップ７１３のうち互いに隣接する２つのランプクリップの間に位置する。本実施例において、前記複数のバッファ部７１２は矩形形状に形成されるか、プリズムパターンや半球形状の多様な形状に形成されることもできる。
【００７９】
前記複数のランプクリップ７１３は前記複数のランプ２１０の一端部をそれぞれ挿入して前記複数のランプ２１０の位置を固定する。このとき、前記複数のランプ２１０は第１及び第２外部電極のうちいずれか一つ外部電極が前記複数のランプクリップ７１３に挿入される。
前記複数のバッファ部７１２及び前記複数のランプクリップ７１３はこ交合的に位置する。例えば、前記複数のバッファ部７１２のうち第１及び第２バッファ部７１２ａ、７１２ｂが順次に位置し、前記複数のランプクリップ７１３のうち第１及び第２ランプクリップ７１３ａ、７１３ｂが順次に位置する場合、前記第１バッファ部７１２ａは前記第１及び第２ランプクリップ７１３ａ、７１３ｂの間に位置する。
【００８０】
本実施例において、前記それぞれのバッファ部は２つのランプクリップの間に位置するが、バッファ部の個数によって異なって配置することもできる。
前記複数の固定突起７１５は前記複数のランプクリップ７１３と互いに対応して位置する。前記複数の固定突起７１５は前記複数のランプ２１０の一端部とそれぞれ接し、前記複数のランプ２１０がそれぞれの長さ方向Ｄ１に移動することを防止する。
【００８１】
即ち、前記複数のランプクリップ７１３は前記複数のランプ２１０が前記複数のランプクリップ７１３が突出された方向Ｄ４に移動する垂直移動を防止し、前記複数の固定突起７１５は前記複数のランプ２１０の水平移動を防止する。
前記第２モールドフレーム７２０は前記複数のバッファ部７１２を挿入するための複数の挿入溝７２１及び前記ベース基板７１１と結合するための締結溝７２２が形成される。
【００８２】
前記複数の挿入溝７２１は前記複数のバッファ部７１２に対応して位置し、前記複数のバッファ部７１２と同一の個数に形成される。前記締結溝７２２は前記結合孔７１４に対応して位置し、前記結合孔７１４と同一の個数に形成される。
前記第２モールドフレーム７２０及び前記ランプ固定部７１０は前記結合孔７１４を貫通して前記締結溝７２２に締結されるスクリュー７３０によって結合される。
【００８３】
前記複数のランプ２１０が駆動されると、附随的に熱が発生する。前記バックライトアセンブリ７００は前記熱によって内部温度が上昇し、前記ランプ固定部７１０及び前記第２モールドフレーム７２０の嵩が増加する。前記第２モールドフレーム７２０の嵩が増加されると、前記ランプ固定部７１０が安着される収納空間も減少される。
これによって、前記ランプ固定部７１０には前記複数のランプ２１０が配列される方向Ｄ３に収縮力が作用する。前記複数のバッファ部７１２は前記収縮力が作用すると、凹んでいる凹凸構造によって形成された第５空間７０の大きさが減少される。
【００８４】
即ち、前記第５空間７０は前記ベース基板７１１及び前記第２モールドフレーム７２０の結合面積の差異分だけその大きさが減少されて前記ベース基板７１１が捩れることを防止することができる。従って、前記複数のバッファ部７１２は前記ランプ固定部７１０と前記第２モールドフレーム７２０との間の結合力を向上させることができる。
以上説明したように、本発明によると液晶表示装置は複数のランプを固定するためのランプ固定部及びランプ固定部と結合して複数のランプを収納するための第２モールドフレームを具備する。ランプ固定部は複数のランプから発生された熱による第２モールドフレームの嵩膨張に適応するためのバッファ部が形成される。ランプ固定部はバッファ部を利用して第２モールドフレームの収納空間の変化に対応してランプ固定部の長さを調節することができる。
【００８５】
これによって、バッファ部は第２モールドフレームの熱膨張によるランプ固定部の撓みまたは捩れ現象を防止することができ、液晶表示装置の部品間の結合力を向上させることができる。
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８６】
【図１】本発明の一実施例による液晶表示装置を示す分解斜視図である。
【図２】図１の切断線I−I’による断面図である。
【図３】図１に示されたバックライトアセンブリを示す分解斜視図である。
【図４】図３に示されたランプ固定部の多様な一例を示す斜視図である。
【図５】図３に示されたランプ固定部の多様な一例を示す斜視図である。
【図６】図３に示されたバックライトアセンブリを示す断面図である。
【図７】図５の切断線II−II’による断面図である。
【図８】図６に示されたランプ固定部がモールドフレームの熱膨張によって収縮される現象を示す断面図である。
【図９】図６に示されたランプ固定部の多様な一例を示す断面図である。
【図１０】図６に示されたランプ固定部の多様な一例を示す断面図である。
【図１１】本発明の他の実施例によるバックライトアセンブリを示す断面図である。
【図１２】図１１に示されたランプ固定部を示す拡大斜視図である。
【符号の説明】
【００８７】
１００      表示パネルアセンブリ
２００、７００      バックライトアセンブリ
２１０      ランプ
２２０、２３０      ランプ固定部
２７０、７２０      第２モールドフレーム
３００      収納容器
４００      第１モールドフレーム
５００      トップシャーシ
６００      液晶表示装置
【図１】
0004684606.tif 000002
【図２】
0004684606.tif 000003
【図３】
0004684606.tif 000004
【図４】
0004684606.tif 000005
【図５】
0004684606.tif 000006
【図６】
0004684606.tif 000007
【図７】
0004684606.tif 000008
【図８】
0004684606.tif 000009
【図９】
0004684606.tif 000010
【図１０】
0004684606.tif 000011
【図１１】
0004684606.tif 000012
【図１２】
0004684606.tif 000013